【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
撮像プローブを備えた患者用の撮像システムであって、前記撮像プローブは、
近位端、遠位部、および、前記近位端と前記遠位部との間に延びるルーメンを有し、患者の体内に挿入される細長いシャフトと、
近位端および遠位端を有し、コンソールに対する光学的かつ機械的な接続を行うように構成された回転式光学コアと、
前記細長いシャフトの近位端の上に配置され、前記回転式光学コアの少なくとも一部を取り囲むプローブコネクタと、
前記細長いシャフトの遠位部の中に配置され、前記回転式光学コアの遠位端に近接し、光を組織に指向させかつ該組織からの反射光を集光するように構成された光学アセンブリと、
前記細長いシャフトの遠位部内の剪断減粘性流体とを含む、
撮像システム。
【請求項２】
前記剪断減粘性流体は、前記回転式光学コアの望ましくない回転変動を低減するように、構成されている、
請求項１に記載の撮像システム。
【請求項３】
前記剪断減粘性流体は、前記回転式光学コアに過度の負荷が掛かることを避けるように、構成されている、
請求項２に記載の撮像システム。
【請求項４】
前記撮像プローブは、脳の血管に到達するように、構成されている、
請求項１に記載の撮像システム。
【請求項５】
前記撮像プローブは、前記細長いシャフトと前記回転式光学コアとの間に配置された、少なくとも１つの空間縮小要素を、さらに含む、
請求項１に記載の撮像システム。
【請求項６】
前記少なくとも１つの空間縮小要素は、前記回転式光学コアの回転速度の変動を低減するように、構成されている、
請求項５に記載の撮像システム。
【請求項７】
前記少なくとも１つの空間縮小要素は、前記剪断減粘性流体の剪断減粘性を増加させることにより、前記回転速度の変動を低減するように、構成されている、
請求項６に記載の撮像システム。
【請求項８】
前記光学アセンブリは、該光学アセンブリの近位側にある前記細長いシャフトの少なくとも一部の内径より大きい外径を、有する、
請求項１に記載の撮像システム。
【請求項９】
前記撮像システム、前記細長いシャフトの引き込みにより、三次元画像を生成するように、構成されている、
請求項１に記載の撮像システム。
【請求項１０】
前記細長いシャフトの遠位部は、光学的に透明な窓を有し、
前記光学アセンブリは、前記光学的に透明な窓内に配置されている、
請求項１に記載の撮像システム。
【請求項１１】
前記光学的に透明な窓の長さは、２０ｍｍ未満である、
請求項１０に記載の撮像システム。
【請求項１２】
前記光学的に透明な窓の長さは、１５ｍｍ未満である、
請求項１１に記載の撮像システム。
【請求項１３】
前記光学的に透明な窓は、ペバックス、ペバックス７２３３、ＰＥＥＫ、非晶質ＰＥＥＫ、ポリイミド、ガラス、サファイア、ナイロン１２、ナイロン６６、およびこれらの組み合わせから成る群から選択される材料を含む、
請求項１０に記載の撮像システム。
【請求項１４】
前記細長いシャフトは、前記光学的に透明な窓に近接して配置された、少なくとも第１部分を有し、
前記第１部分は、編組シャフトを含む、
請求項１０に記載の撮像システム。
【請求項１５】
前記細長いシャフトは、前記光学的に透明な窓に近接した金属チューブを有する、
請求項１０に記載の撮像システム。
【請求項１６】
前記細長いシャフトの、前記遠位部および前記ルーメンおよびの中の、流体相互作用要素を含み、
前記流体相互作用要素は、前記剪断減粘性流体と相互作用して、前記回転式光学コアの回転中に前記回転式光学コアに対する負荷を増加させるように、構成されている、
請求項１に記載の撮像システム。
【請求項１７】
前記回転式光学コアは、単一方向に回転するように、構成および配置される、
請求項１に記載の撮像システム。
【請求項１８】
前記光学アセンブリの外径は、８０μｍと５００μｍとの間である、
請求項１に記載の撮像システム。
【請求項１９】
撮像プローブが対象領域からデータを収集する間に、前記細長いシャフトと前記光学アセンブリとを同時に引き込むように、構成および配置された、引込アセンブリを、さらに備える、
請求項１に記載の撮像システム。
【請求項２０】
前記撮像システムは、患者の体内に埋め込まれるフローダイバータの大きさの決定または前記患者の体内への前記フローダイバータの配置に用いられる、定量的または定性的な情報を提供するように、構成されている、
請求項１に記載の撮像システム。
【請求項２１】
前記定量的または定性的な情報は、穿通枝の位置、穿通枝の形状、ネックの大きさ、フローダイバータの網目密度、およびこれらの組み合わせから成る群から選択されるパラメータに関する情報を含む、
請求項２０に記載の撮像システム。
【請求項２２】
前記撮像システムは、埋め込み部位情報を提供するように構成され、
前記埋め込み部位情報を用いて、患者の体内に埋め込むための特定の埋込型装置を選択する、
請求項１に記載の撮像システム。
【請求項２３】
前記患者の体内に埋め込むための前記埋込型装置を、さらに備え、
前記埋込型装置は、ステント、フローダイバータ、およびこれらの組み合わせから成る群から選択される装置を含む、
請求項２２に記載の撮像システム。
【請求項２４】
前記埋込型装置は、ポロシティ、長さ、直径、およびこれらの組み合わせから成る群から選択される、埋込型装置パラメータに基づいて選択される、
請求項２３に記載の撮像システム。
【請求項２５】
少なくとも１つのガイドカテーテルをさらに含む、
請求項１に記載の撮像システム。
【請求項２６】
前記少なくとも１つのマイクロカテーテルの内径は、０．０１６５インチと０．０２７インチ以下との間である、
請求項２５に記載の撮像システム。
【請求項２７】
前記細長いシャフトの内径は、前記細長いシャフトの長さに沿って変化する、
請求項１に記載の撮像システム。
【請求項２８】
前記細長いシャフトの外径は、０．００６インチと０．０２２インチとの間である、
請求項１に記載の撮像システム。
【請求項２９】
前記細長いシャフトは、中間部をさらに有し、
前記細長いシャフトの遠位部の内径は、該細長いシャフトの中間部の内径より大きい、
請求項１に記載の撮像システム。
【請求項３０】
前記細長いシャフトの遠位部の壁厚は、該細長いシャフトの中間部の壁厚より小さい、
請求項２９に記載の撮像システム。
【請求項３１】
前記撮像プローブは、さらに、近位端および遠位端を有するトルクシャフトを含み、
前記トルクシャフトは、該トルクシャフトの回転が前記回転式光学コアを回転させるように、該回転式光学コアに固定的に取り付けられる、
請求項１に記載の撮像システム。
【請求項３２】
前記回転式光学コアおよび前記細長いシャフトのうち少なくとも１つを、引き込むように、構成および配置された引込アセンブリを、さらに含み、
前記トルクシャフトの遠位端は、前記引込アセンブリの近位側に配置されている、
請求項３１に記載の撮像システム。
【請求項３３】
前記回転式光学コアを回転させるように、構成および配置された回転アセンブリを、さらに含む、
請求項１に記載の撮像システム。
【請求項３４】
前記コンソールは、
前記回転式光学コアを回転させるように、構成および配置された回転アセンブリと、
前記回転式光学コアおよび前記細長いシャフトのうち少なくとも１つを、引き込むように、構成および配置された引込アセンブリとを、有する、
請求項１に記載の撮像システム。
【請求項３５】
前記剪断減粘性流体の粘度は、１０Ｐａ・Ｓと１００，０００Ｐａ・Ｓとの間である、
請求項１に記載の撮像システム。
【請求項３６】
前記剪断減粘性流体は、約３Ｐａ・Ｓのレベルまで粘度が低下するように、構成されている、
請求項１に記載の撮像システム。
【請求項３７】
前記剪断減粘性流体は、１００ｓ−１の剪断速度で、粘度が約３Ｐａ・Ｓのレベルまで低下するように、構成されている、
請求項１に記載の撮像システム。
【請求項３８】
前記剪断減粘性流体は、炭化水素系材料を含む、
請求項１に記載の撮像システム。
【請求項３９】
前記剪断減粘性流体は、シリコンを含む、
請求項１に記載の撮像システム。
【請求項４０】
前記剪断減粘性流体は、炭化水素系材料、シリコン、およびこれらの組み合わせから成る群から選択される流体を含む、
請求項１に記載の撮像システム。